【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
組織部位において流体点滴注入および減圧治療をもたらすための治療システムにおいて、
第１のフィルム層と第２のフィルム層との間に画成された複数の流体分配ルーメンであって、送給アパーチャをそれぞれ有する、流体分配ルーメンと；
前記複数の流体分配ルーメンと流体連通して位置決めされた流体ハブであって、前記流体ハブおよび前記複数の流体分配ルーメンが流体点滴注入経路を画成する、流体ハブと；
複数の脚部材と；
前記複数の脚部材と流体連通している減圧ハブであって、前記減圧ハブおよび前記複数の脚部材が、前記流体点滴注入経路とは別個の減圧経路を画成している、減圧ハブと；
前記流体ハブと流体連通して結合されるように適合された流体供給ルーメンと；
前記減圧ハブと流体連通して結合されるように適合された減圧ルーメンと
を含むことを特徴とする、治療システム。
【請求項２】
請求項１に記載の治療システムにおいて、前記流体分配ルーメンのそれぞれが、長尺部と、前記長尺部に対して実質的に垂直に位置決めされた対向側面とを有し、前記第１のフィルム層は、前記対向側面においておよび前記流体分配ルーメンのそれぞれの前記長尺部に沿って、前記第２のフィルム層に封止結合されていることを特徴とする、治療システム。
【請求項３】
請求項１に記載の治療システムにおいて、前記第１のフィルム層が、前記組織部位に対面するように適合され、および前記流体分配ルーメンのそれぞれの前記送給アパーチャが、前記第１のフィルム層を通して配置されていることを特徴とする、治療システム。
【請求項４】
請求項１に記載の治療システムにおいて、前記流体ハブが、前記第１のフィルム層と前記第２のフィルム層との間に位置決めされていることを特徴とする、治療システム。
【請求項５】
請求項１に記載の治療システムにおいて、前記脚部材のそれぞれが、脚マニホールドおよび脚封入材を含み、前記脚マニホールドが、前記脚封入材によって封入され、複数の脚開窓が、前記脚封入材を通って、前記脚マニホールドと流体連通して配置されることを特徴とする、治療システム。
【請求項６】
請求項５に記載の治療システムにおいて、前記脚部材のそれぞれが、前記脚封入材によって画成された内部および外部を含み、前記脚マニホールドは、前記脚部材の前記内部に位置決めされ、前記複数の脚開窓は、前記脚封入材を貫通して、前記脚マニホールドと前記脚部材の前記外部との間を流体連通させて配置されていることを特徴とする、治療システム。
【請求項７】
請求項１に記載の治療システムにおいて、前記第１のフィルム層および前記第２のフィルム層が、前記複数の流体分配ルーメンおよび前記流体ハブを、前記複数の脚部材および前記減圧ハブから分離するように適合されていることを特徴とする、治療システム。
【請求項８】
請求項１に記載の治療システムにおいて、さらに、前記減圧ハブを貫通して配置されかつ前記流体ハブを受け入れるように適合された中心開口部を含み、前記流体ハブは、前記中心開口部を貫通して延在するように適合されている高さ部分を有することを特徴とする、治療システム。
【請求項９】
請求項１に記載の治療システムにおいて、前記複数の流体分配ルーメンが、前記組織部位と前記複数の脚部材との間に位置決めされるように適合されていることを特徴とする、治療システム。
【請求項１０】
請求項１に記載の治療システムにおいて、さらに、前記組織部位を覆うように適合されたドレッシングシール部材であって、前記ドレッシングシール部材と前記組織部位との間に密閉空間をもたらすように適合されたドレッシングシール部材を含み、前記複数の流体分配ルーメンおよび前記複数の脚部材が、前記密閉空間に位置決めされるように適合されていることを特徴とする、治療システム。
【請求項１１】
請求項１０に記載の治療システムにおいて、さらに、前記シール部材と前記複数の脚部材との間の前記密閉空間に位置決めするための分配マニホールドを含むことを特徴とする、治療システム。
【請求項１２】
請求項１１に記載の治療システムにおいて、前記分配マニホールドが、前記複数の脚部材に減圧を分配するように適合されることを特徴とする、治療システム。
【請求項１３】
請求項１１に記載の治療システムにおいて、前記分配マニホールドが、前記減圧ハブに隣接して位置決めされるように適合され、および前記分配マニホールドが、少なくとも前記減圧ハブを経て、前記複数の脚部材に減圧を分配するように適合されていることを特徴とする、治療システム。
【請求項１４】
請求項１１に記載の治療システムにおいて、前記分配マニホールドが、前記分配マニホールドを貫通して配置されかつ前記流体ハブを受け入れるように適合された分配マニホールド開口部を含み、前記流体ハブが、前記分配マニホールド開口部を通って延在するように適合されている高さ部分を有することを特徴とする、治療システム。
【請求項１５】
請求項１に記載の治療システムにおいて、前記流体供給ルーメンが、流体供給接続部において、前記流体ハブと流体連通して結合されるように適合され、および前記減圧ルーメンが、減圧接続部において、前記減圧ハブと流体連通して結合されるように適合され、前記流体供給接続部が、前記減圧接続部から流体的に隔離されていることを特徴とする、治療システム。
【請求項１６】
請求項１に記載の治療システムにおいて、前記減圧ルーメンが、前記流体供給ルーメンから流体的に隔離されていることを特徴とする、治療システム。
【請求項１７】
請求項１に記載の治療システムにおいて、前記減圧ルーメンが、前記流体供給ルーメンの全長部分から流体的に隔離されている長尺部を有することを特徴とする、治療システム。
【請求項１８】
請求項１に記載の治療システムにおいて、さらに、前記減圧ハブに隣接して位置決めされるように適合された分配マニホールドを含み、前記減圧ルーメンが、前記分配マニホールドを経て、前記減圧ハブと流体連通して結合されるように適合されていることを特徴とする、治療システム。
【請求項１９】
請求項１に記載の治療システムにおいて、さらに、前記減圧ルーメンと流体連通して結合するための減圧源を含むことを特徴とする、治療システム。
【請求項２０】
請求項１に記載の治療システムにおいて、さらに、前記流体供給ルーメンと流体連通して結合するための陽圧源を含むことを特徴とする、治療システム。
【請求項２１】
請求項２０に記載の治療システムにおいて、さらに、前記陽圧源と流体連通して位置決めされた流体点滴注入リザーバを含み、前記陽圧源は、前記流体点滴注入リザーバを経て、前記流体供給ルーメンと流体連通して結合されるように適合されていることを特徴とする、治療システム。
【請求項２２】
請求項１に記載の治療システムにおいて、前記複数の流体分配ルーメンが、前記流体ハブの周囲におよびその周りで実質的に対称的に位置決めされていることを特徴とする、治療システム。
【請求項２３】
請求項１に記載の治療システムにおいて、前記流体分配ルーメンのそれぞれが、前記第１のフィルム層を貫通して配置された複数の送給アパーチャを含み、前記流体分配ルーメンのそれぞれの前記複数の送給アパーチャの数およびサイズは等しいことを特徴とする、治療システム。
【請求項２４】
請求項１に記載の治療システムにおいて、前記流体分配ルーメンのそれぞれが、実質的に同じ背圧をもたらすように適合されていることを特徴とする、治療システム。
【請求項２５】
請求項１に記載の治療システムにおいて、前記第１のフィルム層の少なくとも一部分が親水性であることを特徴とする、治療システム。
【請求項２６】
請求項１に記載の治療システムにおいて、前記流体分配ルーメンのそれぞれの内径が、約２ミリメートル〜約６ミリメートルであることを特徴とする、治療システム。
【請求項２７】
組織部位を治療するための点滴注入アセンブリにおいて、
長尺部と、前記長尺部に対して垂直に位置決めされた対向側面と、流体分配ルーメンと流体連通する送給アパーチャとを含む、流体分配ルーメンであって、前記流体分配ルーメンが、第１のフィルム層および第２のフィルム層によって画成されており、前記第１のフィルム層は、前記対向側面においておよび前記流体分配ルーメンの前記長尺部に沿って、前記第２のフィルム層に封止結合されている、流体分配ルーメンと；
前記流体分配ルーメンと流体連通して位置決めされた流体ハブであって、前記流体ハブは、前記第１のフィルム層と前記第２のフィルム層との間に位置決めされ、前記流体ハブおよび前記流体分配ルーメンは、流体点滴注入経路を画成する、流体ハブと
を含むことを特徴とする、点滴注入アセンブリ。
【請求項２８】
請求項２７に記載の点滴注入アセンブリにおいて、前記第１のフィルム層が、前記組織部位に対面するように適合されていることを特徴とする、点滴注入アセンブリ。
【請求項２９】
請求項２７に記載の点滴注入アセンブリにおいて、前記第１のフィルム層が、前記第２のフィルム層と前記組織部位との間に位置決めされるように適合されていることを特徴とする、点滴注入アセンブリ。
【請求項３０】
請求項２７に記載の点滴注入アセンブリにおいて、前記流体ハブが、多孔質材；チューブ状継手；および発泡体からなる群から選択されていることを特徴とする、点滴注入アセンブリ。
【請求項３１】
請求項２７に記載の点滴注入アセンブリにおいて、前記第１のフィルム層の少なくとも一部分が親水性であることを特徴とする、点滴注入アセンブリ。
【請求項３２】
請求項２７に記載の点滴注入アセンブリにおいて、前記第１のフィルム層の少なくとも一部分がプラズマ処理を含むことを特徴とする、点滴注入アセンブリ。
【請求項３３】
請求項２７に記載の点滴注入アセンブリにおいて、前記流体分配ルーメンが、前記流体ハブと流体連通して位置決めされた複数の流体分配ルーメンであることを特徴とする、点滴注入アセンブリ。
【請求項３４】
請求項３３に記載の点滴注入アセンブリにおいて、前記複数の流体分配ルーメンが、前記流体ハブの周囲におよびその周りで実質的に対称的に位置決めされていることを特徴とする、点滴注入アセンブリ。
【請求項３５】
請求項３３に記載の点滴注入アセンブリにおいて、前記流体分配ルーメンのそれぞれが、前記第１のフィルム層を貫通して配置された複数の送給アパーチャを含み、前記流体分配ルーメンのそれぞれの前記複数の送給アパーチャの数およびサイズが等しいことを特徴とする、点滴注入アセンブリ。
【請求項３６】
請求項３３に記載の点滴注入アセンブリにおいて、前記流体分配ルーメンのそれぞれが実質的に同じ寸法を有することを特徴とする、点滴注入アセンブリ。
【請求項３７】
請求項３３に記載の点滴注入アセンブリにおいて、前記流体分配ルーメンのそれぞれが、実質的に同じ背圧をもたらすように適合されていることを特徴とする、点滴注入アセンブリ。
【請求項３８】
請求項３３に記載の点滴注入アセンブリにおいて、前記流体分配ルーメンのそれぞれが、前記第１のフィルム層を貫通し、前記流体分配ルーメンと流体連通して配置された６個の送給アパーチャを有し、前記送給アパーチャのそれぞれの直径が、約０．５ミリメートルであることを特徴とする、点滴注入アセンブリ。
【請求項３９】
請求項３３に記載の点滴注入アセンブリにおいて、前記流体分配ルーメンのそれぞれが、前記第１のフィルム層を貫通し、前記流体分配ルーメンと流体連通して配置された１２個の送給アパーチャを有し、前記送給アパーチャのそれぞれの直径が、約０．３５ミリメートルであることを特徴とする、点滴注入アセンブリ。
【請求項４０】
請求項２７に記載の点滴注入アセンブリを含む、組織部位を治療するためのドレッシングにおいて、さらに、前記流体点滴注入経路とは別個の減圧経路を経て、前記組織部位から流体を抜き出すように適合された減圧アセンブリを含むことを特徴とする、ドレッシング。
【請求項４１】
請求項４０に記載のドレッシングにおいて、前記減圧アセンブリが、前記減圧経路の少なくとも一部分を画成するマニホールドを含むことを特徴とする、ドレッシング。
【請求項４２】
請求項４１に記載のドレッシングにおいて、前記マニホールドが発泡体であることを特徴とする、ドレッシング。
【請求項４３】
請求項４１に記載のドレッシングにおいて、前記マニホールドが脚マニホールドであることを特徴とする、ドレッシング。
【請求項４４】
請求項４０に記載のドレッシングにおいて、前記減圧アセンブリが、さらに：
脚マニホールドおよび脚封入材を含む脚部材であって、前記脚マニホールドが、前記脚封入材によって封入されており、複数の脚開窓が、前記脚封入材を貫通し、前記脚マニホールドと流体連通して配置されている、脚部材と；
前記脚部材と流体連通する減圧ハブであって、前記減圧ハブおよび前記脚部材が前記減圧経路を画成する、減圧ハブと
を含むことを特徴とする、ドレッシング。
【請求項４５】
請求項４４に記載のドレッシングにおいて、前記脚部材が、前記脚封入材によって画成された内部および外部を含み、前記脚マニホールドは、前記脚部材の前記内部に位置決めされており、前記複数の脚開窓は、前記脚封入材を貫通して、前記脚マニホールドと前記脚部材の前記外部との間を流体連通させるように配置されていることを特徴とする、ドレッシング。
【請求項４６】
請求項４４に記載のドレッシングにおいて、さらに、前記減圧ハブを貫通して配置されかつ前記流体ハブを受け入れるように適合された中心開口部を含み、前記流体ハブの高さ部分が、前記中心開口部を通って延在するように適合されていることを特徴とする、ドレッシング。
【請求項４７】
請求項４４に記載のドレッシングにおいて、前記脚部材が、前記減圧ハブと流体連通して位置決めされた複数の脚部材であり、前記複数の脚部材が、前記減圧ハブから半径方向外向きに延在していることを特徴とする、ドレッシング。
【請求項４８】
請求項４０に記載のドレッシングにおいて、前記点滴注入アセンブリが、前記組織部位と前記減圧アセンブリとの間に位置決めされるように適合されていることを特徴とする、ドレッシング。
【請求項４９】
請求項４０に記載のドレッシングにおいて、前記第２のフィルム層が、前記第１のフィルム層と前記減圧経路との間に位置決めされるように適合されていることを特徴とする、ドレッシング。
【請求項５０】
請求項４７に記載のドレッシングにおいて、前記脚部材のそれぞれが、複数の脚モジュールと、サイズ目盛を示す複数の可視的な目印とを含むことを特徴とする、ドレッシング。
【請求項５１】
組織部位を治療するための治療システムの製造方法において、
第１のフィルム層と第２のフィルム層との間に複数の流体分配ルーメンを画成するステップと；
前記複数の流体分配ルーメンのそれぞれに送給アパーチャを配置するステップであって、前記流体分配ルーメンのそれぞれの前記送給アパーチャは、それと流体連通しているステップと；
前記流体分配ルーメンと流体連通させて流体ハブを位置決めするステップと；
複数の脚部材を形成するステップと；
減圧ハブと流体連通させて前記複数の脚部材を位置決めするステップと
を含むことを特徴とする、方法。
【請求項５２】
請求項５１に記載の方法において、前記第１のフィルム層と前記第２のフィルム層との間に前記複数の流体分配ルーメンを画成するステップが、前記流体分配ルーメンのそれぞれの対向側面および長尺部に沿って、前記第１のフィルム層を前記第２のフィルム層に結合することを含むことを特徴とする、方法。
【請求項５３】
請求項５１に記載の方法において、前記第１のフィルム層が、前記組織部位に対面するように適合され、さらに、前記複数の流体分配ルーメンのそれぞれに複数の送給アパーチャを配置することを含み、前記複数の送給アパーチャのうちの少なくとも１つが、前記第１のフィルム層を貫通して、前記複数の流体分配ルーメンのそれぞれに配置されていることを特徴とする、方法。
【請求項５４】
請求項５１に記載の方法において、前記流体分配ルーメンと流体連通させて前記流体ハブを位置決めするステップが、前記複数の流体分配ルーメンを画成する前に、前記第１のフィルム層と前記第２のフィルム層との間に前記流体ハブを位置決めすることを含むことを特徴とする、方法。
【請求項５５】
請求項５３に記載の方法において、前記流体分配ルーメンのそれぞれと流体連通する前記送給アパーチャの数およびサイズが等しいことを特徴とする、方法。
【請求項５６】
請求項５１に記載の方法において、前記流体分配ルーメンのそれぞれが、実質的に同じ寸法を有することを特徴とする、方法。
【請求項５７】
請求項５１に記載の方法において、前記複数の流体分配ルーメンが、前記流体ハブの周囲におよびその周りで実質的に対称的に位置決めされることを特徴とする、方法。
【請求項５８】
請求項５１に記載の方法において、前記脚部材のそれぞれに関し、前記複数の脚部材を形成するステップが：脚封入材内に脚マニホールドを封入するステップと；前記脚封入材を経て、前記脚マニホールドと流体連通させて複数の脚開窓を配置するステップとを含むことを特徴とする、方法。
【請求項５９】
請求項５１に記載の方法において、さらに、前記減圧ハブを通して中心開口部を配置するステップを含み、前記中心開口部が、前記流体ハブを受け入れるようなサイズにされていることを特徴とする、方法。
【請求項６０】
請求項５９に記載の方法において、さらに、前記中心開口部内に前記流体ハブを位置決めするステップを含み、前記流体ハブが、前記中心開口部を通って延在している高さ部分を有することを特徴とする、方法。
【請求項６１】
請求項５１に記載の方法において、さらに、前記第１のフィルム層と前記複数の脚部材との間に前記第２のフィルム層を位置決めするステップを含むことを特徴とする、方法。
【請求項６２】
請求項５１に記載の方法において、前記流体分配ルーメンが、前記組織部位と前記複数の脚部材との間に位置決めされるように適合されていることを特徴とする、方法。
【請求項６３】
請求項５８に記載の方法において、前記脚封入材が、第１の封入層および第２の封入層を含み、前記方法が、さらに：前記第１の封入層と前記第２の封入層との間に前記脚マニホールドを位置決めするステップと；前記脚マニホールドの周りで前記第１の封入層を前記第２の封入層に結合するステップとを含むことを特徴とする、方法。
【請求項６４】
請求項５８に記載の方法において、前記脚封入材が、前記第２のフィルム層および封入層であり、前記方法が、さらに：前記第２のフィルム層と前記封入層との間に前記脚マニホールドを位置決めするステップと；前記脚マニホールドの周りで前記第２のフィルム層を前記封入層に結合するステップとを含むことを特徴とする、方法。
【請求項６５】
請求項５８に記載の方法において、前記脚封入材が、前記第１のフィルム層および前記第２のフィルム層であり、前記方法が、さらに：前記第１のフィルム層と前記第２のフィルム層との間に前記脚マニホールドを位置決めするステップと；前記脚マニホールドの周りで前記第１のフィルム層を前記第２のフィルム層に結合するステップとを含むことを特徴とする、方法。